(57)【要約】【課題】再生塗料の納期短縮を図れる再生塗料製造支援装置、再生塗料製造支援方法およびプログラムを提供する。【解決手段】再生塗料製造支援装置１は、塗装業者識別情報と色番号情報と保有量情報とを含む塗料情報を記憶する中古塗料ＤＢ１３２と、発注された再生塗料の色番号および量に基づいて、発注された再生塗料の原料として使用でき且つ再生塗料の色番号の色よりも薄い色に対応する色番号を有する原料塗料の色番号および原料塗料に含まれる各原色塗料の配合量を特定する特定部１１４と、中古塗料ＤＢ１３２を参照して、特定部１１４により特定された原料塗料の色番号および原料塗料に含まれる各原色塗料の配合量に基づいて、原料塗料を仕入れる仕入先となる塗装業者を選定する選定部１１５と、を備える。【選択図】図４
2018077651.tif 000002
【特許請求の範囲】
【請求項１】
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部と、
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定する特定部と、
前記塗料記憶部を参照して、前記特定部により特定された前記原料塗料の色特性値および前記原料塗料に含まれる各原色塗料の配合量に基づいて、前記原料塗料を仕入れる仕入先となる塗料保有者を選定する選定部と、を備える、
再生塗料製造支援装置。
【請求項２】
前記特定部は、前記再生塗料よりも色が薄い原料塗料の色特性値および前記原料塗料に含まれる各原色塗料の配合量を特定する、
請求項１に記載の再生塗料製造支援装置。
【請求項３】
前記塗料情報は、塗料製造設備の所在地と前記塗料保有者が保有する塗料の所在地との間の距離を示す距離情報を更に含み、
前記選定部は、前記距離情報に基づいて、前記再生塗料の原料として使用できる原料塗料を保有する塗料保有者の保有者識別情報の中から、前記塗料製造設備の所在地から近い位置に存在する塗料の塗料保有者を優先的に選定する、
請求項１または２に記載の再生塗料製造支援装置。
【請求項４】
塗料製造設備の所在地を示す設備所在地情報を記憶する所在地記憶部と、
地図情報を記憶する地図情報記憶部と、
前記塗料保有者から前記塗料保有者の保有する塗料の所在地を示す塗料所在地情報を含む保有塗料情報を取得する取得部と、
前記地図情報を参照して、前記塗料製造設備の所在地と、前記保有塗料情報に含まれる塗料所在地情報が示す塗料の所在地との間の距離を算出する距離算出部と、
前記距離算出部が算出した距離を示す距離情報を含む塗料情報を追加する形で、前記塗料記憶部が記憶する塗料情報を更新する塗料情報更新部と、を更に備える、
請求項３に記載の再生塗料製造支援装置。
【請求項５】
塗料に含まれる各原色塗料の配合割合を測定する測色機から、塗料に含まれる各原色塗料の配合割合を示す測色情報を取得する測色情報取得部と、
前記測色情報取得部が取得した測色情報に基づいて、前記発注された再生塗料の色特性値および量を特定する色特性値・量特定部と、を更に備える、
請求項１から４のいずれか１項に記載の再生塗料製造支援装置。
【請求項６】
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定するステップと、
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部を参照して、特定された前記原料塗料の色特性値および前記原料塗料に含まれる各原色塗料の配合量に基づいて、前記原料塗料を仕入れる仕入先となる塗料保有者を選定するステップと、を含む、
再生塗料製造支援方法。
【請求項７】
コンピュータを、
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定する特定部、
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部を参照して、前記特定部により特定された前記原料塗料の色特性値および前記原料塗料に含まれる各原色塗料の配合量に基づいて、前記原料塗料を仕入れる仕入先となる塗料保有者を選定する選定部、
として機能させるためのプログラム。
【発明の詳細な説明】
【技術分野】
【０００１】
本発明は、再生塗料製造支援装置、再生塗料製造支援方法およびプログラムに関する。
【背景技術】
【０００２】
製品の塗装を行う業者は、製品の生産計画に基づいて製品の塗装に必要な塗料を準備する。このとき、業者は、塗料不足により塗装作業に遅れが生じたりすることがないように塗料を必要量よりも多めに準備することが一般的である。従って、製品の生産計画が完了した時点で未使用の塗料（残塗料）が発生することが多い。そこで、この残塗料を回収して塗料の再生品（以下、「再生塗料」と称する。）を製造することにより残塗料の有効活用を図るために使用される塗料のリユースシステムが提案されている（例えば特許文献１参照）。このリユースシステムは、まず、再生塗料の種類（色）や再生塗料に含まれる各原色塗料の配合量を含む情報と、残塗料の種類や残塗料に含まれる各原色塗料の配合量を含む情報と、を取得する。そして、リユースシステムは、取得したこれらの情報から再生塗料の製造時に残塗料に配合すべき原色塗料の種類や量を含む製造条件を求めてユーザに提示する。
【先行技術文献】
【特許文献】
【０００３】
【特許文献１】特開２００４−３３４２５０号公報
【発明の概要】
【発明が解決しようとする課題】
【０００４】
ところで、再生塗料の製造に使用することができる塗料は、再生塗料の種類や再生塗料に含まれる各原色塗料の配合量によって制約を受ける。従って、特許文献１に記載のリユースシステムを使用するユーザは、例えば製造しようとしている再生塗料の原料として使用できる原料塗料を保有していない場合、その都度、再生塗料の原料として使用できる塗料を保有している仕入先を探す必要があった。このため、発注された再生塗料の種類によっては、納期遅延が生じる虞があった。
【０００５】
本発明は、上記事由に鑑みてなされたものであり、再生塗料の納期短縮を図れる再生塗料製造支援装置、再生塗料製造支援方法およびプログラムを提供することを目的とする。
【課題を解決するための手段】
【０００６】
上記目的を達成するために、本発明に係る再生塗料製造支援装置は、
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部と、
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定する特定部と、
前記塗料記憶部を参照して、前記特定部により特定された前記原料塗料の色特性値および前記原料塗料に含まれる各原色塗料の配合量に基づいて、前記原料塗料を仕入れる仕入先となる塗料保有者を選定する選定部と、を備える。
【発明の効果】
【０００７】
本発明によれば、特定部が、再生塗料の色特性値とは異なる色特性値を有する原料塗料の色特性値および原料塗料に含まれる各原色塗料の配合量を特定する。そして、選定部が、塗料記憶部を参照して、特定部により特定された原料塗料の色特性値および原料塗料に含まれる各原色塗料の配合量に基づいて、原料塗料を仕入れる仕入先となる塗料保有者を選定する。これにより、所望する再生塗料の色特性値とは異なる色特性値を有する原料塗料に原色塗料を配合することにより所望の再生塗料を製造する製造方法に適合した塗料を仕入れることを可能としつつ、発注された再生塗料の原料塗料の仕入先を探す手間が省略される。従って、発注された再生塗料の製造方法に最適な原料塗料を迅速に入手することが可能となるので、再生塗料の納期短縮を図ることができる。
【図面の簡単な説明】
【０００８】
【図１】本発明の実施の形態に係る再生塗料製造支援装置を備えるシステムを示す概略図である。
【図２】実施の形態に係る再生塗料製造支援装置を備えるシステムの動作を示すシーケンス図である。
【図３】実施の形態に係る塗装業者の端末装置の表示画面の一例を示す図である。
【図４】実施の形態に係る再生塗料製造支援装置の構成を示すブロック図である。
【図５】実施の形態に係る中古塗料データベースの内容を示す図である。
【図６】（Ａ）は実施の形態に係る配合割合データベースの内容を示す図であり、（Ｂ）は実施の形態に係る注文塗料データベースの内容を示す図である。
【図７】実施の形態に係る評価ＤＢの内容を示す図である。
【図８】実施の形態に係る再生塗料製造支援装置が実行する再生塗料製造支援処理を示すフローチャートである。
【図９】実施の形態に係る再生塗料製造支援装置が実行する再生塗料製造支援処理を示すフローチャートである。
【図１０】変形例に係る再生塗料製造支援装置が実行する再生塗料製造支援処理を示すフローチャートである。
【発明を実施するための形態】
【０００９】
以下、本発明の一実施の形態に係る再生塗料製造支援装置について図面を参照して詳細に説明する。
【００１０】
本実施の形態に係る再生塗料製造支援装置は、塗装業者が保有する塗料（中古塗料）の色番号（色特性値）を示す色番号情報と、保有量を示す保有量情報と、を保持する。再生塗料製造支援装置は、発注業者から再生塗料の発注を受けると、その再生塗料の製造に必要な原料塗料の色番号と原料塗料に含まれる各原色塗料の配合量とを特定する。そして、再生塗料製造支援装置は、特定した色番号および原料塗料に含まれる各原色塗料の配合量を有する塗料を保有する塗装業者を選定して、当該塗装業者の所持する端末装置へ塗料を発注するための塗料発注情報を送信する。
【００１１】
図１に示すように、再生塗料製造支援装置１は、例えば塗料販売業者が所有する。再生塗料製造支援装置１は、発注業者の所持する端末装置２と、複数の塗装業者それぞれが所持する端末装置３とに、ＬＡＮ（Local Area Network）およびインターネットを含むネットワークＮＴを介して接続されている。
【００１２】
再生塗料製造支援装置１は、例えば通信機能を備えた汎用のパーソナルコンピュータから構成され、ＣＰＵ（Central Processing Unit）とＲＡＭ（Random Access Memory）とＲＯＭ（Read Only Memory）とストレージと入力部と表示部と通信インタフェースとを備える。ＲＡＭは揮発性メモリから構成され、ＣＰＵの作業領域として使用される。ＲＯＭおよびストレージは、磁気ディスク、半導体メモリ等の不揮発性メモリから構成され、ＲＯＭまたはストレージは、再生塗料製造支援装置１の各種機能を実現するためのプログラムを記憶する。そして、ＣＰＵが、このプログラムをＲＯＭまたはストレージからＲＡＭに読み出して実行することにより、再生塗料製造支援装置１の各種機能が実現される。入力部は、例えばキーボードから構成され、ユーザが入力する各種操作情報を受け付けて、受け付けた操作情報をＣＰＵへ出力する。表示部は、例えば液晶ディスプレイから構成され、ＣＰＵから入力された各種情報を表示する。
【００１３】
端末装置２は、例えばスマートフォンから構成され、ＣＰＵとＲＡＭとＲＯＭとストレージと入力部と表示部と通信インタフェースとを備える。端末装置２のＲＯＭまたはストレージは、再生塗料製造支援装置１へ塗料を発注するための情報（以下、「塗料発注情報」と称する。）を送信するためのアプリケーションプログラムを記憶する。そして、ＣＰＵが、このアプリケ−ションプログラムをＲＯＭまたはストレージからＲＡＭに読み出して実行することにより、再生塗料製造支援装置１へ塗料発注情報を送信する機能が実現される。入力部は、例えばタッチパネルから構成され、表示部は、例えば液晶ディスプレイから構成される。
【００１４】
端末装置３も、端末装置２と同様に、例えばスマートフォンから構成され、ＣＰＵとＲＡＭとＲＯＭとストレージと入力部と表示部と通信インタフェースとカメラとを備える。端末装置３のＲＯＭまたはストレージは、再生塗料製造支援装置１へ塗装業者が保有する塗料に関する情報（以下、「保有塗料情報」と称する。）を送信するためのアプリケーションプログラムを記憶する。そして、ＣＰＵが、このプログラムをＲＯＭまたはストレージからＲＡＭに読み出して実行することにより、再生塗料製造支援装置１へ保有塗料情報を送信する機能が実現される。
【００１５】
次に、再生塗料製造支援装置１および端末装置２、３から構成されるシステムの動作について図２を参照しながら説明する。まず、塗装業者が、自己の保有する塗料に関する情報（保有塗料情報）を端末装置３へ入力すると（ステップＳ１）、その保有塗料情報が、端末装置３から再生塗料製造支援装置１へ送信される（ステップＳ２）。
【００１６】
ここにおいて、端末装置３は、塗装業者のユーザに対して、例えば図３に示すような塗料情報入力画面ＧＡ１を表示部に表示する。塗料情報入力画面ＧＡ１には、塗料を示す写真画像の画像ファイル名を入力する画像ファイル名入力欄Ｂ１と、保有する塗料のメーカ名、塗料名、色番号、品種、保有量、売値、塗装業者の所在地、塗料の製造年月日を入力する入力欄Ｂ２と、塗料のランクを指定するチェックボックスＢ３と、が含まれる。そして、ユーザは、入力欄Ｂ１、Ｂ２およびチェックボックスＢ３への入力が完了した後、「完了ＥＫ」をタッチすると、入力された保有塗料情報が、再生塗料製造支援装置１へ送信される。保有塗料情報は、塗料を保有する塗装業者（塗料保有者）を識別する塗装業者識別情報（塗料保有者識別情報）と、その塗装業者が保有する塗料の色番号（色特性値）を示す色番号情報（色特性値情報）と、保有量を示す保有量情報と、を含む。また、保有塗料情報は、塗装業者が保有する塗料の塗料名、メーカ名、売値、製造年月日それぞれを示す情報も含む。更に、保有塗料情報は、塗料の所在地を示す塗料所在地情報と、塗料の撮像画像を示す画像ファイルと、塗料のランクを示すランク情報と、を含む。ここで、「塗料の所在地」とは、例えば塗料を保管している倉庫の所在地である。
【００１７】
一方、塗料販売業者が所有している再生塗料製造支援装置１は、保有塗料情報を受信すると、保有塗料情報から塗装業者の住所情報を抽出し、ストレージが記憶する地図情報を参照して、塗料販売業者の所在地と塗装業者の所在地との間の距離を算出する（ステップＳ３）。ここで、塗料販売業者の所在地は、例えば塗料販売業者が所有している調色設備が設置されている場所に設定されている。
【００１８】
続いて、再生塗料製造支援装置１は、自己が有する各塗料業者の保有する塗料（中古塗料）に関する情報を記憶する中古塗料データベース（以下、「ＤＢ」と称する）に、保有塗料情報から抽出した塗装業者識別情報、色番号情報および保有量情報等と、塗料販売業者が所有する調色設備の所在地と塗料の所在地との間の距離を示す距離情報とを含む塗料情報を追加する形で、中古塗料ＤＢを更新する（ステップＳ４）。
【００１９】
また、発注業者が、自己の所持する端末装置２においてアプリケーションプログラムを起動させ、発注する再生塗料に関する情報を端末装置３へ入力してからその情報を用いて塗料発注情報を生成するための操作を行ったとする。すると、端末装置２は、塗装業者が入力した発注する塗料に関する情報を用いて、塗料発注情報を生成する（ステップＳ５）。ここにおいて、端末装置２は、発注業者のユーザに対して、発注する再生塗料の塗料名および品種と必要量（缶の容量とその缶の必要缶数）と色番号と納期とを入力する入力欄を含む発注画面を表示部に表示する。なお、色番号の入力欄については、例えば発注業者が錆止め用途の再生塗料を発注する場合に色名を入力する欄に切り替わるようにしてもよい。また、塗料発注情報は、発注業者を識別する発注業者識別情報と、その発注業者の所在地を示す発注業者所在地情報と、発注する塗料の色番号を示す色番号情報と、発注する塗料の量を示す発注量情報と、を含む。
【００２０】
その後、塗料発注情報が、端末装置２から再生塗料製造支援装置１へ送信される（ステップＳ６）。
【００２１】
再生塗料製造支援装置１は、塗料発注情報を受信すると、発注された再生塗料の色番号および量に基づいて、発注された再生塗料の原料として使用できる原料塗料の色番号および原料塗料に含まれる各原色塗料の配合量を特定する（ステップＳ７）。ここで、再生塗料製造支援装置１は、再生塗料の色番号から再生塗料に含まれるべき各原色塗料の配合割合を特定し、その後、発注された再生塗料の量から再生塗料に含まれるべき各原色塗料の配合量を特定する。そして、再生塗料製造支援装置１は、特定した再生塗料に含まれるべき各原色塗料の配合量に基づいて、再生塗料の原料として使用できる原料塗料の色番号と原料塗料に含まれる各原色塗料の配合量とを特定する。具体的には、再生塗料製造支援装置１は、発注された再生塗料の色番号に対応する色よりも薄い色に対応する色番号を特定する。そして、再生塗料製造支援装置１は、特定した色番号の原料塗料の量と、原料塗料に加えるべき原色塗料の量と、の総和が再生塗料の発注量と等しくなるように、原料塗料に含まれる各原色塗料の配合量を特定する。
【００２２】
次に、再生塗料製造支援装置１は、特定した再生塗料の原料として使用できる原料塗料の色番号および原料塗料に含まれる各原色塗料の配合量に基づいて、原料塗料の仕入先を選定する（ステップＳ８）。ここで、再生塗料製造支援装置１は、自己が有する中古塗料ＤＢを参照して、塗料の色番号が、特定された原料塗料の色番号と一致する塗料を保有する塗装業者を抽出する。そして、再生塗料製造支援装置１は、抽出された塗装業者の中から、選定された塗装業者の保有する塗料に含まれる各原色塗料の配合量の合計が、特定された原料塗料に含まれる各原色塗料の配合量以上となるように、仕入先となる塗装業者を選定する。ここで、再生塗料製造支援装置１は、１の塗装業者の保有する原料塗料のみで再生塗料の発注量を賄えない場合、他の塗装業者も選定する。即ち、再生塗料製造支援装置１は、原料塗料の仕入先として複数の塗装業者を仕入先として選定する場合もある。また、再生塗料製造支援装置１は、抽出された塗装業者の中から、塗料販売業者が保有する調色設備の所在地から近い位置に存在する塗装業者を優先的に選定する。
【００２３】
そして、再生塗料製造支援装置１は、色番号が同一の原料塗料について複数の塗装業者を仕入先として選定したとする。この場合、再生塗料製造支援装置１は、自己が保持する発注先へ供給する塗料に関する情報を記憶する注文塗料ＤＢが記憶する同一色複数仕入先フラグをオンに設定する（ステップＳ９）。これにより、発注業者へ供給する塗料に使用される同一色の原料が、複数の塗装業者から仕入れたものであることが登録される。
【００２４】
続いて、仕入先として選定された塗装業者へ塗料を発送するよう指示する発送指示情報が、再生塗料製造支援装置１から、仕入先として選定された塗装業者が所持する端末装置３へ送信される（ステップＳ１０）。
【００２５】
その後、塗装業者が自己の保有する塗料を塗料販売業者へ向けて発送し、塗装業者のユーザが端末装置３に対して発送を完了した旨を発注業者および塗料販売業者へ通知するための操作（以下、「発送完了通知操作」と称する。）を行ったとする。端末装置３は、発送完了通知操作を受け付けると（ステップＳ１１）、発送完了通知が、端末装置３から再生塗料製造支援装置１へ送信されるとともに（ステップＳ１２）、発注業者が所持する端末装置２へも送信される（ステップＳ１３）。そして、再生塗料製造支援装置１は、端末装置３から発送完了通知を受信すると、自己が保有する各塗装業者が保有する塗料に関する情報を記憶する中古塗料ＤＢから、発送完了通知に対応する塗料に関する塗料情報を削除する（ステップＳ１４）。これにより、発送された塗料は、再生塗料製造支援装置１が再生塗料の製造に使用する原料塗料の候補から外されることになる。
【００２６】
その後、塗料販売業者が、発注された再生塗料の製造が完了し、塗料販売業者のユーザが再生塗料製造支援装置１に対して塗料が完成した旨を通知するための操作（以下、「完成通知操作」と称する。）を行ったとする。ここにおいて、塗装販売業者は、完成した塗料を用いて作製した見本（以下、「塗り見本」と称する。）と、予め準備された色見本と、を並べて撮影することにより得られる画像（以下、「比較画像」と称する。）を示す比較画像情報を再生塗料製造支援装置１に入力する。すると、再生塗料製造支援装置１は、再生塗料が完成した旨を通知する塗料完成通知を生成する（ステップＳ１５）。その後、塗料完成通知が、再生塗料製造支援装置１から発注業者の所持する端末装置２へ送信される（ステップＳ１６）。この塗料完成通知には、再生塗料に付与された塗料名情報、再生塗料の製造に使用された原料塗料の品番情報、メーカ名、売値、製造年月日を示す情報とランク情報と、同一色複数仕入先フラグの内容を示すフラグ情報と、前述の比較画像情報と、を含む。が含まれる。これにより、発注業者は、再生塗料の製造に使用された原料塗料の素性を知ることが可能となる。また、発注業者は、比較画像情報が示す比較画像を参照することにより、発注した再生塗料の出来映えを視覚的に認識することができる。
【００２７】
また、発注業者が、発注した塗料を塗料販売業者から受け取り、その塗料を使用した後、発注業者のユーザが、発注した塗料に対する評価を示す情報を端末装置２へ入力してからその情報を用いて評価情報を生成するための操作を行ったとする。このとき、端末装置３は、発注業者が入力した情報を用いて、評価情報を生成する（ステップＳ１７）。次に、評価情報が、端末装置３から再生塗料製造支援装置１へ送信される（ステップＳ１８）。この評価情報は、発注業者の塗料販売業者が販売した再生塗料に対する評価を示す情報を含むものである。
【００２８】
再生塗料製造支援装置１は、評価情報を受信すると、自己が保持する、原料塗料に対する評価結果を記憶する評価ＤＢを更新する（ステップＳ１９）。ここで、再生塗料製造支援装置１は、受信した評価情報が示す評価結果を評価ＤＢに追加する形で評価ＤＢを更新する。続いて、評価ＤＢに登録されている内容を示す評価ＤＢ情報が、再生塗料製造支援装置１から塗装業者の所持する端末装置３へ送信される（ステップＳ２０）。
【００２９】
また、塗料販売業者が、再生塗料製造支援装置１に対して、塗装業者から仕入れた原料塗料についての評価を評価ＤＢに登録するための操作を行ったとする。この場合、再生塗装製造支援装置１は、塗料販売業者による評価結果を受け付けて（ステップＳ２１）、自己が保持する評価ＤＢを更新する（ステップＳ２２）。ここで、再生塗料製造支援装置１は、受け付けた評価結果を評価ＤＢに追加する形で評価ＤＢを更新する。続いて、評価ＤＢに登録されている内容を示す評価ＤＢ情報が、再生塗料製造支援装置１から塗装業者の所持する端末装置３へ送信される（ステップＳ２３）。このようにして、原料塗料として使用された塗料に対する発注業者または塗料販売業者による評価結果を公にすることにより、塗装業者に対して塗装業者が管理する残塗料の品質に対する責任が喚起される。これにより、原料塗料の品質が高いレベルで維持することのインセンティブが働くという利点がある。
【００３０】
次に、本実施の形態に係る再生塗料製造支援装置１の機能構成について説明する。図４に示すように、ＣＰＵ１０１が、補助記憶部１０３が記憶するプログラムを主記憶部（図示せず）に読み込んで実行することにより、取得部１１０、距離算出部１１１、塗料情報更新部１１２、発注元抽出部１１３、特定部１１４、選定部１１５、同一色複数仕入先判定部１１６、発送指示部１１７、塗料完成通知部１１８、評価情報更新部１１９および評価提示部１２０として機能する。また、補助記憶部１０３は、地図ＤＢ１３１と、所在地ＤＢ１３６と、中古塗料ＤＢ（塗料記憶部）１３２と、配合割合ＤＢ１３５と、注文塗料ＤＢ１３３と、評価ＤＢ１３４と、を有する。
【００３１】
地図ＤＢ（地図情報記憶部）１３１は、地図情報を記憶する。地図情報は、地図上における複数の位置に対応する場所間の距離に関する情報を含む。所在地ＤＢ（所在地記憶部）１３６は、塗料販売業者が所有する調色設備（塗料製造設備）の所在地を示す情報（設備所在地情報）を記憶する。
【００３２】
中古塗料ＤＢ１３２は、例えば図５に示すように、塗装業者（塗料保有者）を識別する塗装業者識別情報（保有者識別情報）と、塗装業者が保有する塗料の色番号（色特性値）を示す色番号情報（色特性値情報）と、塗装業者が保有する塗料の品種を示す品種情報と、塗料の保有量を示す保有量情報と、を含む塗料情報を記憶する。色番号は、例えば１６進数の色コードから構成される。また、塗料情報は、更に、塗料に付与された原料塗料品番と、塗料のメーカ名、売値および製造年月日を示す情報と、塗料の撮像画像を示す画像ファイルと、塗料のランク情報と、を含む。更に、塗料情報は、調色設備の所在地と塗装業者が保有する塗料の所在地との間の距離を示す距離情報を含む。
【００３３】
配合割合ＤＢ１３５は、例えば図６（Ａ）に示すように、色番号と、その色番号に対応する塗料に含まれるべき各原色塗料の配合割合と、を対応づけて記憶している。
【００３４】
注文塗料ＤＢ１３３は、例えば図６（Ｂ）に示すように、発注業者から注文された再生塗料毎に、色番号と、使用した原料塗料の品番（原料塗料品番）と、発注業者識別情報と、比較画像を示す画像情報とを、発注業者から注文された再生塗料に付与された品番情報に対応づけた形で記憶している。
【００３５】
評価ＤＢ１３４は、例えば図７に示すように、発注業者から注文された塗料毎に、塗料に対する評価を行った発注業者の識別情報と、評価結果を示す情報と、を、発注業者へ供給した塗料に付与された品番情報に対応づけた形で記憶している。
【００３６】
図４に戻って、取得部１１０は、通信部１０７を介して、塗装業者が所持する端末装置３から送信された保有塗料情報を取得する。また、取得部１１０は、通信部１０７を介して、発注業者が所持する端末装置２から送信された塗料発注情報を取得する。
【００３７】
距離算出部１１１は、取得部１１０が塗装業者の所持する端末装置３から保有塗料情報を取得すると、取得した保有塗料情報から塗装の所在地を抽出するとともに、所在地ＤＢ１３６から塗料販売業者が所有する調色設備の所在地を示す情報を取得する。そして、距離算出部１１１は、地図ＤＢ１３１が記憶する地図情報を参照して、調色設備の所在地と塗料の所在地との間の距離を算出する。距離算出部１１１は、算出した距離を示す距離情報を塗料情報更新部１１２へ通知する。
【００３８】
塗料情報更新部１１２は、取得部１１０が取得した保有塗料情報から抽出した、塗装業者識別情報、色番号情報および保有量情報等と、画像ファイルと、ランク情報と、を追加する形で、中古塗料ＤＢ１３２を更新する。また、塗料情報更新部１１２は、距離算出部１１１から通知される、距離算出部１１１が算出した距離を示す距離情報を用いて、中古塗料ＤＢ１３２が記憶する距離情報を更新する。
【００３９】
発注元抽出部１１３は、取得部１１０が取得した塗料発注情報から発注元を識別する発注元識別情報を抽出して、注文塗料ＤＢ１３３に記憶させる。この発注元識別情報は、例えば発注元の発注業者の購買部門等が管理するメールアドレスや所在地を示す情報等を含む。
【００４０】
特定部１１４は、発注された再生塗料の色番号および量に基づいて、発注された再生塗料の原料として使用できる原料塗料の色番号および再生塗料に含まれるべき各原色塗料の配合量を特定する。特定部１１４は、配合割合ＤＢ１３５を参照して、発注された再生塗料の色番号から再生塗料に含まれるべき各原色塗料の配合割合を特定し、特定した配合割合と発注された再生塗料の量とに基づいて、再生塗料に含まれるべき各原色塗料の配合量を特定する。そして、特定部１１４は、特定した再生塗料に含まれるべき各原色塗料の配合量に基づいて、再生塗料の原料として使用できる原料塗料の色番号と原料塗料に含まれる各原色塗料の配合量とを特定する。ここで、特定部１１４は、発注された再生塗料の色番号に対応する色よりも薄い色に対応する色番号を特定する。そして、特定部１１４は、特定した色番号の原料塗料の量と、原料塗料に加えるべき原色塗料の量と、の総和が再生塗料の発注量と等しくなるように、原料塗料に含まれる各原色塗料の配合量を特定する。
【００４１】
選定部１１５は、中古塗料ＤＢ１３２を参照して、特定部１１４により特定された原料塗料の色特性値および原料塗料に含まれる各原色塗料の配合量に基づいて、原料塗料を仕入れる仕入先となる塗装業者の塗装業者識別情報を選定する。選定部１１５は、中古塗料ＤＢ１３２が記憶する原料塗料識別情報の中から、塗料に含まれる各原色塗料の配合量が特定部１１４により特定された原料塗料に含まれる各原色塗料の配合量と一致する塗料に付与された原料塗料識別情報を抽出する。そして、選定部１１５は、抽出した原料塗料識別情報に対応する塗装業者識別情報の中から、原料塗料を仕入れる仕入先となる塗装業者の塗装業者識別情報を選定する。
【００４２】
また、選定部１１５は、中古塗料ＤＢ１３２が記憶する距離情報に基づいて、発注された再生塗料の原料として使用できる原料塗料を保有する塗装業者の塗装業者識別情報の中から、塗料販売業者が所有する調色設備の所在地から最も近い所在地に存在する塗料を保有する塗装業者の塗装業者識別情報を選定する。
【００４３】
同一色複数仕入先判定部１１６は、選定部１１５により同一の色番号の原料塗料について複数の塗装業者が仕入先として選定されているか否かを判定する。同一色複数仕入先判定部１１６は、同一の色番号の原料塗料について複数の塗装業者が仕入先として選定されている場合、注文塗料ＤＢ１３３の同一色複数仕入先フラグを「オン」に設定する。一方、同一色複数仕入先判定部１１６は、同一の色番号の原料塗料について１つの塗装業者のみが仕入先として選定されている場合、注文塗料ＤＢ１３３の同一色複数仕入先フラグを「オフ」に設定する。
【００４４】
発送指示部１１７は、注文塗料ＤＢ１３３の原料塗料発送指示状況を参照して、原料塗料発送指示状況が「未」に設定されている原料塗料の原料塗料識別情報を特定する。そして、発送指示部１１７は、中古塗料ＤＢ１３２を参照して、特定した原料塗料識別情報が付与された塗料を保有する塗装業者識別情報を特定する。その後、発送指示部１１７は、特定した塗装業者識別情報に対応する塗装業者宛の発送指示情報を生成する。発送指示部１１７は、生成した発送指示情報を、通信部１０７を介して、特定した塗装業者識別情報が付与された塗装業者の所持する端末装置３へ送信する。
【００４５】
塗料完成通知部１１８は、入力部１０４を介して、塗料完成通知を発注業者へ通知するための操作（以下、「完成通知操作」と称する。）を受け付けたか否かを判定する。そして、塗料完成通知部１１８は、完成通知操作を受け付けたと判定すると、塗料完成通知を生成して発注業者が所持する端末装置２へ送信する。ここで、塗料完成通知部１１８は、まず、注文塗料ＤＢ１３３を参照して、再生塗料の製造に使用された原料塗料識別情報と、同一色複数仕入先フラグの内容を示すフラグ情報と、を取得する。次に、塗料完成通知部１１８は、中古塗料ＤＢ１３２を参照して、取得した原料塗料識別情報に対応する、原料塗料品番、メーカ名、売値、製造年月日を示す情報と、ランク情報と、を取得する。そして、塗料完成通知部１１８は、取得した原料塗料品番、メーカ名、売値、製造年月日を示す情報と、ランク情報と、フラグ情報を含む塗料完成通知を生成する。
【００４６】
評価情報更新部１１９は、発注業者が所持する端末装置２から評価情報を受信すると、受信した評価情報が示す評価結果を評価ＤＢ１３４に追加する形で評価ＤＢ１３４を更新する。また、評価情報更新部１１９は、塗料販売業者のユーザが、入力部１０４を介して、塗装業者から仕入れた原料塗料についての評価を評価ＤＢ１３４に登録するために行った操作を受け付けると、評価ＤＢ１３４を更新する。ここにおいて、評価情報更新部１１９は、受け付けた評価結果を評価ＤＢ１３４に追加する形で評価ＤＢ１３４を更新する。
【００４７】
評価提示部１２０は、評価ＤＢ１３４に登録されている内容を示す評価ＤＢ情報を、通信部１０７を介して塗装業者の所持する端末装置３へ送信する。
【００４８】
次に、本実施の形態に係る再生塗料製造支援装置１が実行する再生塗料製造支援処理について図８および図９を参照しながら説明する。この再生塗料製造支援処理は、塗料販売業者のユーザが再生塗料製造支援装置１へ電源を投入したことを契機として開始される。
【００４９】
まず、取得部１１０は、図８に示すように、塗装業者が所持する端末装置３から送信された保有塗料情報を取得したか否かを判定する（ステップＳ１０１）。取得部１１０が保有塗料情報を取得していないと判定すると（ステップＳ１０１：Ｎｏ）、後述のステップＳ１０４の処理が実行される。
【００５０】
一方、取得部１１０が、保有塗料情報を取得したと判定したとする（ステップＳ１０１：Ｙｅｓ）。この場合、距離算出部１１１は、取得した保有塗料情報から塗装の所在地を抽出するとともに、所在地ＤＢ１３６から塗料販売業者が所有する調色設備の所在地を示す情報を取得する。そして、距離算出部１１１は、地図ＤＢ１３１が記憶する地図情報を参照して、調色設備の所在地と塗料の所在地との間の距離を算出する（ステップＳ１０２）。距離算出部１１１は、算出した距離を示す距離情報を塗料情報更新部１１２へ通知する。
【００５１】
次に、塗料情報更新部１１２は、取得部１１０が取得した保有塗料情報から抽出した、塗装業者識別情報、色番号情報および保有量情報等と、画像ファイルと、ランク情報と、を追加する形で、中古塗料ＤＢ１３２を更新する（ステップＳ１０３）。
【００５２】
続いて、取得部１１０は、発注業者が所持する端末装置２から送信された塗料発注情報を取得したか否かを判定する（ステップＳ１０４）。取得部１１０が塗料発注情報を取得していないと判定すると（ステップＳ１０４：Ｎｏ）、後述のステップＳ１１２の処理が実行される。
【００５３】
一方、取得部１１０が、塗料発注情報を取得したと判定したとする（ステップＳ１０４：Ｙｅｓ）。この場合、特定部１１４は、塗料発注情報に含まれる発注された塗料の色番号情報および発注量情報に基づいて、再生塗料の製造に使用する原料塗料の色番号および原料塗料に含まれる各原色塗料の配合量を特定する（ステップＳ１０５）。
【００５４】
その後、選定部１１５は、特定部１１４により特定された原料塗料の色番号および原料塗料に含まれる各原色塗料の配合量に基づいて、原料塗料を仕入れる仕入先の塗装業者を選定する（ステップＳ１０６）。ここで、選定部１１５は、塗料販売業者の所有する調色設備の所在地から近い位置に存在する塗装業者を優先的に選定する。
【００５５】
次に、選定部１１５は、選定した塗装業者の保有する塗料に含まれる各原色塗料の配合量の合計が、特定部１１４により特定された原料塗料に含まれる各原色塗料の配合量以上であるか否かを判定する（ステップＳ１０７）。ここで、選定部１１５が、選定した塗装業者の保有する塗料に含まれる各原色塗料の配合量の合計が、特定部１１４により特定された原料塗料に含まれる各原色塗料の配合量未満であると判定したとする（ステップＳ１０７：Ｎｏ）。この場合、選定部１１５は、再度ステップＳ１０６の処理を実行する。このとき、選定部１１５は、先に選定した塗装業者の次に塗装販売業者の所有する調色設備の所在地に近い位置に存在する塗装業者を選定する。
【００５６】
一方、選定部１１５が、選定した塗装業者の保有する塗料に含まれる各原色塗料の配合量の合計が、特定部１１４により特定された原料塗料に含まれる各原色塗料の配合量以上であると判定したとする（ステップＳ１０７：Ｙｅｓ）。この場合、同一色複数仕入先判定部１１６は、選定部１１５により選定された塗装業者について、同一の色番号の原料塗料について複数の塗装業者が仕入先として選定されているか否かを判定する（ステップＳ１０８）。同一色複数仕入先判定部１１６は、同一の色番号の原料塗料について複数の塗装業者が仕入先として選定されていると判定すると（ステップＳ１０８：Ｙｅｓ）、注文塗料ＤＢ１３３の同一色複数仕入先フラグを「オン」に設定する（ステップＳ１０９）。
【００５７】
一方、同一色複数仕入先判定部１１６は、同一の色番号の原料塗料について１つの塗装業者のみが仕入先として選定されていると判定すると（ステップＳ１０８：Ｎｏ）、注文塗料ＤＢ１３３の同一色複数仕入先フラグを「オフ」に設定する（ステップＳ１１０）。
【００５８】
続いて、発送指示部１１７は、発送指示情報を生成して、塗装業者の所持する端末装置３へ送信する（ステップＳ１１１）。ここで、発送指示部１１７は、選定部１１５が選定した塗装業者宛の発送指示情報を生成する。発送指示情報は、原料塗料を使用する塗料の品番情報と、原料塗料の品番情報と、を含む。発送指示部１１７は、生成した発送指示情報を、通信部１０７を介して、特定した塗装業者の所持する端末装置３へ送信する。
【００５９】
ここにおいて、塗装業者が所持する端末装置３は、再生塗料製造支援装置１から発送指示情報を受信すると、その端末装置３を所持する塗装業者へ保有する塗料の発送指示を受けている旨を通知する。そして、塗装業者が、発送指示の通知を受けて自己の保有する塗料を塗料販売業者へ発送した後、端末装置３に対して、塗料販売業者への塗料の発送が完了した旨を塗料販売業者へ通知するための操作を行ったとする。この場合、端末装置３は、発送完了通知を生成して再生塗料製造支援装置１宛に送信する。発送完了通知は、発送した原料塗料の品番情報と、発送元である塗装業者を識別する塗装業者識別情報と、を含む。
【００６０】
ステップＳ１１１の処理が実行された後、取得部１１０は、図９に示すように、塗装業者が所持する端末装置３が送信する発送完了通知を取得したか否かを判定する（ステップＳ１１２）。取得部１１０が発送完了通知を取得していないと判定すると（ステップＳ１１２：Ｎｏ）、後述のステップＳ１１４の処理が実行される。一方、取得部１１０が発送完了通知を取得したと判定すると（ステップＳ１１２：Ｙｅｓ）、塗料情報更新部１１２は、取得部１１０が取得した発送完了通知に含まれる原料塗料の原料塗料品番情報と発送元である塗装業者の塗装業者識別情報との組み合わせに対応する塗料情報を、中古塗料ＤＢ１３２から削除する（ステップＳ１１３）。
【００６１】
次に、塗料完成通知部１１８は、入力部１０４を介して、完成通知操作を受け付けたか否かを判定する（ステップＳ１１４）。塗料完成通知部１１８が完成通知操作を受け付けていないと判定すると（ステップＳ１１４：Ｎｏ）、後述のステップＳ１１６の処理が実行される。一方、塗料完成通知部１１８は、完成通知操作を受け付けたと判定すると（ステップＳ１１４：Ｙｅｓ）、塗料完成通知を生成して発注業者が所持する端末装置２へ送信する（ステップＳ１１５）。塗料完成通知は、前述のように、再生塗料に付与された塗料名情報と、再生塗料の製造に使用された原料塗料の品番情報と、メーカ名、売値、製造年月日を示す情報と、ランク情報と、比較画像情報と、を含んでいる。
【００６２】
続いて、取得部１１０が、発注業者が所持する端末装置２から評価情報を取得したか否かを判定する（ステップＳ１１６）。取得部１１０が評価情報を取得していないと判定すると（ステップＳ１１６：Ｎｏ）、後述のステップＳ１１９の処理が実行される。一方、取得部１１０が評価情報を取得したと判定すると（ステップＳ１１６：Ｙｅｓ）、評価情報更新部１１９は、取得部１１０が取得した評価情報が示す評価結果を評価ＤＢ１３４に追加する形で評価ＤＢ１３４を更新する（ステップＳ１１７）。
【００６３】
その後、評価提示部１２０は、評価ＤＢ１３４に登録されている内容を示す評価ＤＢ情報を、通信部１０７を介して全ての塗装業者の所持する端末装置３へ送信する（ステップＳ１１８）。これにより、塗料を保有する塗装業者の全てが、それぞれ自己の保有する塗料に対する評価結果を確認することができる。
【００６４】
次に、評価情報更新部１１９は、入力部１０４を介して、塗装業者から仕入れた原料塗料についての評価結果を受け付けたか否かを判定する（ステップＳ１１９）。ここで、評価情報更新部１１９は、塗料販売業者のユーザが入力部１０４を介して、評価ＤＢ１３４に登録するための操作を行ったときに、入力部１０４から評価結果を受け付ける。評価情報更新部１１９が評価結果を受け付けていないと判定すると（ステップＳ１１９：Ｎｏ）、後述のステップＳ１２２の処理が実行される。
【００６５】
一方、評価情報更新部１１９は、評価結果を受け付けたと判定すると（ステップＳ１１９：Ｙｅｓ）、受け付けた評価結果を評価ＤＢ１３４に追加する形で評価ＤＢ１３４を更新する（ステップ１２０）。
【００６６】
続いて、評価提示部１２０は、評価ＤＢ１３４に登録されている内容を示す評価ＤＢ情報を、通信部１０７を介して塗装業者の所持する端末装置３へ送信する（ステップＳ１２１）。
【００６７】
その後、取得部１１０は、ユーザが入力部１０４を介して再生塗料製造支援処理を終了させるよう指令する終了指令が有ったか否かを判定する（ステップＳ１２２）。取得部１１０により終了指令が有ったと判定されると（ステップＳ１２２：Ｙｅｓ）、再生塗料製造支援処理が終了する。一方、取得部１１０は、終了指令が無いと判定すると（ステップＳ１２２：Ｎｏ）、再びステップＳ１０１の処理を実行する。
【００６８】
以上説明したように、本実施の形態に係る再生塗料製造支援装置１によれば、特定部１１４が、再生塗料の色番号の色よりも薄い色に対応する色番号を有する原料塗料の色番号および原料塗料に含まれる各原色塗料の配合量を特定する。そして、選定部１１５が、中古塗料ＤＢ１３２を参照して、特定部１１４により特定された原料塗料の色番号および原料塗料に含まれる各原色塗料の配合量に基づいて、原料塗料を仕入れる仕入先となる塗装業者を選定する。これにより、所望する再生塗料の色番号の色よりも薄い色に対応する色番号を有する原料塗料に原色塗料を配合することにより所望の再生塗料を製造する製造方法に適合した塗料を仕入れることが可能となる。また、発注された再生塗料の原料塗料の仕入先となる塗装業者を探す手間が省略される。従って、発注された再生塗料の製造方法に最適な原料塗料を迅速に入手することが可能となるので、再生塗料の納期短縮を図ることができる。
【００６９】
また、本実施の形態に係る特定部１１４は、発注された再生塗料よりも色が薄い原料塗料の色番号および原料塗料に含まれる各原色塗料の配合量を特定する。これにより、発注された再生塗料よりも色が薄い原料塗料に、その原料塗料よりも色が濃い塗料を調合することにより再生塗料を製造するという一般的な再生塗料の製造方法に適合した原料塗料を仕入れることができる。
【００７０】
更に、本実施の形態に係る選定部１１５は、中古塗料ＤＢ１３２が記憶する距離情報に基づいて、発注された再生塗料の原料として使用できる原料塗料を保有する塗装業者の塗装業者識別情報の中から、塗料販売業者が所有する調色設備の所在地から最も近い所在地に存在する塗料を保有する塗装業者の塗装業者識別情報を選定する。これにより、発注された再生塗料の原料塗料の仕入先の塗装業者として、調色設備から近い位置に塗料を保管している塗装業者が優先的に選定される。従って、塗装業者の塗料保管場所から調色設備までの原料塗料の運搬距離を短縮することができるので、原料塗料の運搬に要する時間を短縮でき、ひいては再生塗料の納期短縮を図ることができる。
【００７１】
また、本実施の形態では、距離算出部１１１が、地図情報を参照して、調色設備の所在地と、取得部１１０が取得した保有塗料情報に含まれる塗料所在地情報が示す塗料の所在地との間の距離を算出する。そして、塗料情報更新部１１２が、距離算出部１１１が算出した距離を示す距離情報を用いて、中古塗料ＤＢ１３２が記憶する距離情報を更新する。これにより、塗装業者は、例えば塗料の保管場所を変更した場合、再生塗料製造支援装置１へ送信する保有塗料情報に含める塗料所在地情報を変更するだけで、中古塗料ＤＢ１３２の距離情報を変更することができる。従って、塗料販売業者にとって、塗装業者の塗料保管場所変更に対する中古塗料ＤＢ１３２の更新作業の手間が省かれるという利点がある。
【００７２】
（変形例）
以上、本発明の実施の形態について説明したが、本発明は前述の実施の形態の構成に限定されるものではない。例えば、再生塗料製造支援装置が、塗料に含まれる各原色塗料の配合割合を測定する測色機から、その測色機により測定された塗料に含まれる各原色塗料の配合割合を示す測色情報を取得する測色情報取得部と、測色情報取得部が取得した測色情報に基づいて、発注された塗料の色特性値および量を特定する色特性値・量特定部と、を備える構成であってもよい。この場合、特定部は、測色情報取得部が取得した測色情報に基づいて、発注された再生塗料の色特性値および量を特定することができる。なお、測色機として、例えば測色機能を有するスマートフォンから構成されていてもよい。
【００７３】
本構成によれば、例えば発注業者が発注しようとする再生塗料の色番号が判らない場合であっても、特定部は、発注業者が測色機を使用して取得した測色情報に基づいて、発注された塗料の色特性値および量を特定することができる。従って、発注業者が発注しようとする再生塗料の色番号が判らない場合であっても、再生塗料の製造に使用する原料塗料の仕入先が的確に選定されるという利点がある。
【００７４】
実施の形態では、再生塗料製造支援装置１が、発注された再生塗料の原料となる塗料の仕入先として塗装業者を選定する例について説明したが、選定する塗料保有者は塗装業者に限定されるものではなく、例えば他の塗料販売業者や塗料製造業者を選定するものであってもよい。この場合、中古塗料ＤＢ１３２が、他の塗料販売業者や塗料製造業者が保有する塗料の色特性値情報や保有量情報と、他の塗料販売業者や塗料製造業者を識別する識別情報と、を対応づけて記憶すればよい。
【００７５】
実施の形態では、特定部１１４が、発注された再生塗料の色番号に対応する色よりも薄い色に対応する色番号の塗料を原料塗料として特定する例について説明した。但し、特定部１１４が特定する原料塗料は、これに限定されるものではなく、例えば特定部が、発注された再生塗料の色番号に対応する色よりも濃い色に対応する色番号の塗料を原料塗料として特定するものであってもよい。或いは、特定部が、発注された再生塗料よりも明度、彩度の少なくとも一方が高い塗料を原料塗料として特定するものであってもよい。
【００７６】
実施の形態では、選定部１１５が、特定部１１４により特定された再生塗料の色番号（色特性値）および配合量に基づいて原料塗料の仕入先を選定する、つまり、選定部１１５が、各塗装業者の保有する塗料の色番号および保有量のみを基準に原料塗料の仕入先を選定する例について説明した。但し、これに限らず、例えば、選定部１１５は、各塗装業者が保有する塗料の色番号および保有量のみならず、塗料の製造年月日をも基準に原料塗料の仕入先を選定する構成であってもよい。この場合、選定部１１５は、例えば塗料の色番号および保有量に限れば、特定部１１４により特定された再生塗料の色番号および再生塗料に含まれるべき各原色塗料の配合量に適合するものであっても、製造年月日が予め設定された期間外である場合、その塗料を保有する塗装業者を仕入先から除外する。本構成によれば、例えば製造年月日が極めて古い塗料を仕入れてしまうことを防止でき、再生塗料の品質向上が図られるという利点がある。また、実施の形態において、各塗装業者の営業時間帯および営業期間に関する情報を記憶する営業状況記憶部を備えており、選定部１１５が、営業状況記憶部が記憶する各塗装業者の営業情報に応じて、原料塗料の仕入先を選定する構成であってもよい。
【００７７】
実施の形態では、選定部１１５が、塗料販売業者の保有する調色設備の所在地から近い位置にある塗装業者を優先的に選定する例について説明したが、これに限らない。例えば、選定部１１５が、保有する塗料に含まれる各原色塗料の配合量が、特定部１１４により特定された原料塗料に含まれる各原色塗料の配合量以上である塗装業者を優先的に選定する構成であってもよい。
【００７８】
実施の形態では、塗装業者が、端末装置３に対して、自己が保有する塗料に関する情報を入力することにより、自己の保有する塗料に関する情報を示す保有塗料情報が、端末装置３から再生塗料製造支援装置１へ送信される例について説明した。但し、これに限らず、例えば、塗装業者が、自己の保有する塗料を収容する缶に付されたラベルを、端末装置３が有するカメラ機能を利用して撮影すると、撮影により得られる撮像画像情報（保有塗料画像情報）が再生塗料製造支援装置１へ送信される構成であってもよい。この場合、再生塗料製造支援装置は、端末装置３から受信したラベルの撮像画像情報を解析することにより、撮像画像情報から塗装業者の保有する塗料に関する情報（保有塗料情報）を抽出する画像解析部を備える構成とすればよい。
【００７９】
ここにおいて、塗装業者が、端末装置３を利用して自己の保有する塗料を収容する缶に付されたラベルを撮影するとともに、端末装置３にその塗料の保管場所の所在地を示す所在地情報を入力する。すると、端末装置３は、ラベルの撮像画像情報（保有塗料画像情報）とともに、所在地情報を再生塗料製造支援装置へ送信する。そして、再生塗料製造支援装置が保有塗料画像情報と所在地情報とを受信すると、再生塗料製造支援装置の画像解析部が、保有塗料画像情報を解析することにより、その保有塗料画像情報に対応する保有塗料情報を抽出する。
【００８０】
ここで、本変形例に係る再生塗料製造支援装置が実行する再生塗料製造支援処理について図１０を参照しながら説明する。なお、図１０において、実施の形態に係る再生塗料製造支援処理と同様の処理については、図８、図９と同一の符号を付している。また、本変形例に係る再生塗料製造支援装置は、実施の形態に係る再生塗料製造支援装置１において画像解析部が追加された機能構成を有する。本変形例の再生塗料製造支援装置において実施の形態に係る再生塗料製造支援装置１と同様の構成については、図４と同一の符号を用いて説明する。まず、取得部１１０は、塗装業者が所持する端末装置３から送信された端末装置３から保有塗料画像情報および所在地情報を取得したか否かを判定する（ステップＳ２０１）。取得部１１０が保有塗料画像情報および所在地情報を取得していないと判定すると（ステップＳ２０１：Ｎｏ）、前述の図８のステップＳ１０４の処理が実行される。
【００８１】
一方、取得部１１０が、保有塗料画像情報および所在地情報を取得したと判定したとする（ステップＳ２０１：Ｙｅｓ）。この場合、画像解析部が、保有塗料画像を解析することにより、その保有塗料画像情報に対応する保有塗料情報を抽出する（ステップＳ２０２）。その後、前述の実施の形態で説明したステップＳ１０２以降の処理が実行される。
【００８２】
なお、前述では、塗装業者が端末装置３を用いて撮影する対象が、自己の保有する塗料に付されたラベルである例について説明したが、撮影対象はこれに限定されない。例えば、塗料を収容する缶に付された、その塗料に関する情報を示すＱＲコード（登録商標）やバーコードを撮影すると、そのＱＲコードやバーコードの撮像画像が、端末装置３から再生塗料製造支援装置へ送信される構成であってもよい。この場合、画像解析部は、ＱＲコードたバーコードの画像を解析することにより、その塗料の保有塗料情報を抽出する。
【００８３】
或いは、塗料を収容する缶に付されたラベルを含めた缶全体を撮影すると、その缶全体の撮影画像が、端末装置３から再生塗料製造支援装置へ送信される構成であってもよい。この場合、再生塗料製造支援装置は、塗料を収容する缶全体の意匠とその塗料に関する情報とを対応づける意匠ＤＢを備える構成とすればよい。そして、画像解析部が、意匠ＤＢに登録された画像情報と、缶全体の撮影画像と、のマッチング処理を実行することにより、缶全体の撮影画像から塗料に関する情報を抽出する。
【００８４】
本構成によれば、塗装業者が、自己が保有する塗料に関する情報を端末装置３へ入力する手間を省くことができる。
【００８５】
実施の形態において、再生塗料製造支援装置が、端末装置２に対して、発注された再生塗料と色番号および品種が類似し且つ指定納期内に納品できる再生塗料の塗料名を示す類似塗料情報を送信する構成であってもよい。ここにおいて、再生塗料製造支援装置は、例えば端末装置２から塗料発注情報を受信した場合、まず、塗料発注情報に含まれる色番号の再生塗料が指定納期内に納品できるか否かを判定する。そして、再生塗料製造支援装置は、塗料発注情報に含まれる色番号および品種の再生塗料が指定納期内に納品できないと判定すると、類似塗料情報を端末装置２へ送信する。すると、端末装置２は、再生塗料製造支援装置から受信した類似塗料情報に基づいて、「発注された色と同一の色番号および品種の再生塗料と類似する塗料として・・・を納品できます。」というような表示画面を表示部に表示する。
【００８６】
本構成によれば、塗料発注業者が、塗料の色への拘りが少ない場合や納期を優先的に考えている場合に適切に対応することが可能となる。
【００８７】
実施の形態では、ステップＳ１０１乃至Ｓ１２２の一連の処理が順に実行される例について説明した。但し、これに限らず、例えばステップＳ１０１乃至Ｓ１０３の一連の処理、ステップＳ１０４乃至Ｓ１１１の一連の処理、ステップＳ１１２、Ｓ１１３の一連の処理、ステップＳ１１４、Ｓ１１５の一連の処理、ステップＳ１１６乃至Ｓ１１８の一連の処理、ステップＳ１１９乃至Ｓ１２１の一連の処理が、それぞれ並行して実行される構成であってもよい。
【００８８】
実施の形態では、色特性値として、１６進数の色コードから構成される色番号を使用する例について説明したがこれに限定されるものではない。例えば、色特性値として、ＣＩＥ−ＸＹＺ表色系、ＣＩＥ−Ｌ＊ａ＊ｂ＊表色系、ＣＩＥ−Ｌ＊Ｃ＊Ｈ＊表色系、マンセル表色系等の他の表色系における表色値を採用してもよい。
【００８９】
また、本発明に係る再生塗料製造支援装置１の各種機能は、専用のシステムによらず、通常のコンピュータシステムを用いて実現可能である。例えば、ネットワークに接続されているコンピュータに、上記動作を実行するためのプログラムを、コンピュータシステムが読み取り可能な非一時的な記録媒体（ＣＤ−ＲＯＭや磁気ディスク等）に格納して配布し、当該プログラムをコンピュータシステムにインストールすることにより、上述の処理を実行する再生塗料製造支援装置１を構成してもよい。
【００９０】
また、コンピュータにプログラムを提供する方法は任意である。例えば、プログラムは、通信回線の掲示版（ＢＢＳ）にアップロードされ、通信回線を介してコンピュータに配信されてもよい。そして、コンピュータは、このプログラムを起動して、ＯＳの制御の下、他のアプリケーションと同様に実行する。これにより、コンピュータは、上述の処理を実行する再生塗料製造支援装置１として機能する。
【００９１】
以上、本発明の各実施の形態および変形例（なお書きに記載したものを含む。以下、同
様。）について説明したが、本発明はこれらに限定されるものではない。本発明は、実施
の形態及び変形例が適宜組み合わされたもの、それに適宜変更が加えられたものを含む。
【産業上の利用可能性】
【００９２】
本発明は、例えば塗装業者において発生する残塗料を有効に活用するための取引市場での運用に好適である。
【符号の説明】
【００９３】
１：再生塗料製造支援装置、２，３：端末装置、１０１：ＣＰＵ、１０３：補助記憶部、１０４：入力部、１０７：通信部、１１０：取得部、１１１：距離算出部、１１２：塗料情報更新部、１１３：発注元抽出部、１１４：特定部、１１５：選定部、１１６：同一色複数仕入先判定部、１１７：発送指示部、１１８：塗料完成通知部、１１９：評価情報更新部、１２０：評価提示部、１３１：地図ＤＢ、１３２：中古塗料ＤＢ、１３３：注文塗料ＤＢ、１３４：評価ＤＢ、１３５：配合割合ＤＢ、１３６：所在地ＤＢ、Ｂ１，Ｂ２：入力欄、Ｂ３：チェックボックス、ＥＫ：釦、ＧＡ１：塗料情報入力画面、ＮＴ：ネットワーク
【図１】
2018077651.tif 000003
【図２】
2018077651.tif 000004
【図３】
2018077651.tif 000005
【図４】
2018077651.tif 000006
【図５】
2018077651.tif 000007
【図６】
2018077651.tif 000008
【図７】
2018077651.tif 000009
【図８】
2018077651.tif 000010
【図９】
2018077651.tif 000011
【図１０】
2018077651.tif 000012
【手続補正書】
【提出日】平成29年3月17日(2017.3.17)
【手続補正１】
【補正対象書類名】特許請求の範囲
【補正対象項目名】全文
【補正方法】変更
【補正の内容】
【特許請求の範囲】
【請求項１】
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部と、
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定する特定部と、
前記塗料記憶部を参照して、前記特定部により特定された前記原料塗料の色特性値および前記原料塗料に含まれる各原色塗料の配合量に基づいて、前記原料塗料を仕入れる仕入先となる塗料保有者を選定する選定部と、を備える、
再生塗料製造支援装置。
【請求項２】
前記特定部は、前記再生塗料よりも色が薄い原料塗料の色特性値および前記原料塗料に含まれる各原色塗料の配合量を特定する、
請求項１に記載の再生塗料製造支援装置。
【請求項３】
前記塗料情報は、塗料製造設備の所在地と前記塗料保有者が保有する塗料の所在地との間の距離を示す距離情報を更に含み、
前記選定部は、前記距離情報に基づいて、前記再生塗料の原料として使用できる原料塗料を保有する塗料保有者の保有者識別情報の中から、前記塗料製造設備の所在地から近い位置に存在する塗料の塗料保有者を優先的に選定する、
請求項１または２に記載の再生塗料製造支援装置。
【請求項４】
塗料製造設備の所在地を示す設備所在地情報を記憶する所在地記憶部と、
地図情報を記憶する地図情報記憶部と、
前記塗料保有者から前記塗料保有者の保有する塗料の所在地を示す塗料所在地情報を含む保有塗料情報を取得する取得部と、
前記地図情報を参照して、前記塗料製造設備の所在地と、前記保有塗料情報に含まれる塗料所在地情報が示す塗料の所在地との間の距離を算出する距離算出部と、
前記距離算出部が算出した距離を示す距離情報を含む塗料情報を追加する形で、前記塗料記憶部が記憶する塗料情報を更新する塗料情報更新部と、を更に備える、
請求項３に記載の再生塗料製造支援装置。
【請求項５】
塗料に含まれる各原色塗料の配合割合を測定する測色機から、塗料に含まれる各原色塗料の配合割合を示す測色情報を取得する測色情報取得部と、
前記測色情報取得部が取得した測色情報に基づいて、前記発注された再生塗料の色特性値および量を特定する色特性値・量特定部と、を更に備える、
請求項１から４のいずれか１項に記載の再生塗料製造支援装置。
【請求項６】
再生塗料製造支援装置が行う再生塗料製造支援方法であって、
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定するステップと、
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部を参照して、特定された前記原料塗料の色特性値および前記原料塗料に含まれる各原色塗料の配合量に基づいて、前記原料塗料を仕入れる仕入先となる塗料保有者を選定するステップと、を含む、
再生塗料製造支援方法。
【請求項７】
コンピュータを、
発注された再生塗料の色特性値および量に基づいて、前記発注された再生塗料の原料として使用でき且つ前記再生塗料の色特性値とは異なる色特性値を有する原料塗料の色特性値および前記原料塗料に含まれる各原色塗料の配合量を特定する特定部、
塗料保有者を識別する保有者識別情報と、前記塗料保有者が保有する塗料の色特性値を示す色特性値情報と、前記塗料の保有量を示す保有量情報と、を含む塗料情報を記憶する塗料記憶部を参照して、前記特定部により特定された前記原料塗料の色特性値および前記原料塗料に含まれる各原色塗料の配合量に基づいて、前記原料塗料を仕入れる仕入先となる塗料保有者を選定する選定部、
として機能させるためのプログラム。